(57)【要約】【課題】使い勝手が良く、対象者の肌や毛髪等への優れた美容効果が得られる光照射装置を提供する。【解決手段】本発明を適用した光照射装置１は、スマートフォン端末２と、ケース体３と、ＬＥＤ光照射部４を備えている。ケース体３は、背面側カバー部３０と、蓋部３１を有している。また、蓋部３１の内周面側（スマートフォン端末２側）には、ＬＥＤ光照射部４が設けられている。ＬＥＤ光照射部４は、スマートフォン端末２の使用者の皮膚や毛髪等に、所定の波長の光を照射する部材である。【選択図】図１
2020054499.tif 000002
【特許請求の範囲】
【請求項１】
スマートフォン端末と、
該スマートフォン端末に取付け可能なケース体と、
該ケース体に設けられ、所定の波長の光を対象者に向けて照射可能、かつ、光の照射を制御可能なケース型光照射部とを備える
光照射装置。
【請求項２】
前記所定の波長の光は、少なくとも、赤色光、緑色光、青色光、黄色光、又は、白色光から選択される１つである
請求項１に記載の光照射装置。
【請求項３】
前記ケース体は、前記スマートフォン端末の端末画面を閉塞可能な蓋部本体を有し、
前記ケース型光照射部は、前記蓋部本体の前記端末画面と対向する面に設けられた
請求項１又は請求項２に記載の光照射装置。
【請求項４】
前記ケース体は、前記蓋部本体に連設され、同蓋部本体とは反対側に回動可能な連設蓋部が設けられ、
前記ケース型光照射部は、前記連設蓋部の前記蓋部本体と対向する面に設けられた
請求項３に記載の光照射装置。
【請求項５】
前記端末画面の表面、又は、前記ケース型光照射部の表面の少なくとも一方に設けられた光を透過可能なシート状体であり、所定の色を有するパワーストーンの粒子が配合された第１のカラーフィルター部を有する
請求項１、請求項２、請求項３又は請求項４に記載の光照射装置。
【請求項６】
前記スマートフォン端末は、対象者を撮像可能な撮像手段を有し、
前記撮像手段が撮像した前記対象者の撮像情報である対象者撮像情報と、該対象者撮像情報を元に同対象者の皮膚又は毛髪の性質を評価した情報である対象者生体評価情報とに基づき、所定の条件で抽出された情報であり、同対象者の皮膚又は毛髪の性質に合わせて照射する光の情報である適合光情報を受信して、該適合光情報に基づき、前記ケース型光照射部からの光の照射を制御する
請求項１、請求項２、請求項３、請求項４又は請求項５に記載の光照射装置。
【請求項７】
前記スマートフォン端末は、
対象者を撮像可能な撮像手段と、
前記撮像手段が撮像した前記対象者の撮像情報である対象者撮像情報と、所定の評価項目に基づき、同対象者の皮膚又は毛髪の性質を評価する対象者生体評価手段と、
該対象者生体評価手段が評価した前記対象者の皮膚又は毛髪の性質を評価した情報である対象者生体評価情報と所定の条件に基づき、同対象者の皮膚又は毛髪の性質に合わせて照射する光の情報である適合光情報を抽出する端末側適合法情報抽出部とを有し、
前記適合光情報に基づき、前記ケース型光照射部からの光の照射を制御する
請求項１、請求項２、請求項３、請求項４又は請求項５に記載の光照射装置。
【請求項８】
対象者の皮膚又は毛髪に対して、接触又は非接触でその性質の情報を取得可能な生体情報取得部を備え、
前記生体情報取得部が取得した前記対象者の生体情報である対象者生体情報に基づき、所定の条件で抽出された情報であり、同対象者の皮膚又は毛髪の性質に合わせて照射する光の情報である適合光情報を受信して、該適合光情報に基づき、前記ケース型光照射部からの光の照射を制御する
請求項１、請求項２、請求項３、請求項４又は請求項５に記載の光照射装置。
【請求項９】
対象者の皮膚又は毛髪に対して、接触又は非接触でその性質の情報を取得可能な生体情報取得部を備え、
前記生体情報取得部は、取得した前記対象者の生体情報である対象者生体情報と所定の条件に基づき、同対象者の皮膚又は毛髪の性質に合わせて照射する光の情報である適合光情報を抽出する取得部側適合法情報抽出部を有し、
前記適合光情報に基づき、前記ケース型光照射部からの光の照射を制御する
請求項１、請求項２、請求項３、請求項４又は請求項５に記載の光照射装置。
【請求項１０】
前記スマートフォン端末は、設定した時間に基づく条件に応じて、前記ケース型光照射部による光の照射を制御可能なタイマー制御手段を有する
請求項１、請求項２、請求項３、請求項４、請求項５、請求項６、請求項７、請求項８又は請求項９に記載の光照射装置。
【請求項１１】
対象者の頭部を載置可能な枕形状、又は、対象者の頭部又は全身の少なくとも一部を覆う形状に形成されたデバイス本体と、
該デバイス本体に設けられ、前記スマートフォン端末を介して操作可能に構成されると共に、所定の波長の光を対象者に向けて照射可能、かつ、光の照射を制御可能なデバイス型光照射部とを備える
請求項１、請求項２、請求項３、請求項４、請求項５、請求項６、請求項７、請求項８、請求項９又は請求項１０に記載の光照射装置。
【請求項１２】
前記デバイス型光照射部が照射する所定の波長の光は、少なくとも、赤色光、緑色光、青色光、黄色光、又は、白色光から選択される１つである
請求項１１に記載の光照射装置。
【請求項１３】
前記デバイス型光照射部の表面に設けられた光を透過可能なシート状体であり、所定の色を有するパワーストーンの粒子が配合された第２のカラーフィルター部を有する
請求項１１又は請求項１２に記載の光照射装置。
【請求項１４】
前記スマートフォン端末は、対象者を撮像可能な撮像手段を有し、
前記撮像手段が撮像した前記対象者の撮像情報である対象者撮像情報と、該対象者撮像情報を元に同対象者の皮膚又は毛髪の性質を評価した情報である対象者生体評価情報とに基づき、所定の条件で抽出された情報であり、同対象者の皮膚又は毛髪の性質に合わせて照射する光の情報である適合光情報を受信して、該適合光情報に基づき、前記デバイス型光照射部からの光の照射を制御する
請求項１１、請求項１２又は請求項１３に記載の光照射装置。
【請求項１５】
前記スマートフォン端末は、
対象者を撮像可能な撮像手段と、
前記撮像手段が撮像した前記対象者の撮像情報である対象者撮像情報と、所定の評価項目に基づき、同対象者の皮膚又は毛髪の性質を評価する対象者生体評価手段と、
該対象者生体評価手段が評価した前記対象者の皮膚又は毛髪の性質を評価した情報である対象者生体評価情報と所定の条件に基づき、同対象者の皮膚又は毛髪の性質に合わせて照射する光の情報である適合光情報を抽出する端末側適合法情報抽出部とを有し、
前記適合光情報に基づき、前記デバイス型光照射部からの光の照射を制御する
請求項１１、請求項１２又は請求項１３に記載の光照射装置。
【請求項１６】
対象者の皮膚又は毛髪に対して、接触又は非接触でその性質の情報を取得可能な生体情報取得部を備え、
前記生体情報取得部が取得した前記対象者の生体情報である対象者生体情報に基づき、所定の条件で抽出された情報であり、同対象者の皮膚又は毛髪の性質に合わせて照射する光の情報である適合光情報を受信して、該適合光情報に基づき、前記デバイス型光照射部からの光の照射を制御する
請求項１１、請求項１２又は請求項１３に記載の光照射装置。
【請求項１７】
対象者の皮膚又は毛髪に対して、接触又は非接触でその性質の情報を取得可能な生体情報取得部を備え、
前記生体情報取得部は、取得した前記対象者の生体情報である対象者生体情報と所定の条件に基づき、同対象者の皮膚又は毛髪の性質に合わせて照射する光の情報である適合光情報を抽出する取得部側適合法情報抽出部を有し、
前記適合光情報に基づき、前記デバイス型光照射部からの光の照射を制御する
請求項１１、請求項１２又は請求項１３に記載の光照射装置。
【請求項１８】
前記スマートフォン端末は、設定した時間に基づく条件に応じて、前記デバイス型光照射部による光の照射を制御可能なタイマー制御手段を有する
請求項１１、請求項１２、請求項１３、請求項１４、請求項１５、請求項１６又は請求項１７に記載の光照射装置。
【請求項１９】
スマートフォン端末と、
対象者の頭部を載置可能な枕形状、又は、対象者の頭部又は全身の少なくとも一部を覆う形状に形成されたデバイス本体と、
該デバイス本体に設けられ、前記スマートフォン端末を介して操作可能に構成されると共に、所定の波長の光を対象者に向けて照射可能、かつ、光の照射を制御可能なデバイス型光照射部とを備える
光照射装置。
【請求項２０】
前記デバイス型光照射部が照射する所定の波長の光は、少なくとも、赤色光、緑色光、青色光、黄色光、又は、白色光から選択される１つである
請求項１９に記載の光照射装置。
【請求項２１】
前記デバイス型光照射部の表面に設けられた光を透過可能なシート状体であり、所定の色を有するパワーストーンの粒子が配合された第３のカラーフィルター部を有する
請求項１９又は請求項２０に記載の光照射装置。
【請求項２２】
前記スマートフォン端末は、対象者を撮像可能な撮像手段を有し、
前記撮像手段が撮像した前記対象者の撮像情報である対象者撮像情報と、該対象者撮像情報を元に同対象者の皮膚又は毛髪の性質を評価した情報である対象者生体評価情報とに基づき、所定の条件で抽出された情報であり、同対象者の皮膚又は毛髪の性質に合わせて照射する光の情報である適合光情報を受信して、該適合光情報に基づき、前記デバイス型光照射部からの光の照射を制御する
請求項１９、請求項２０又は請求項２１に記載の光照射装置。
【請求項２３】
前記スマートフォン端末は、
対象者を撮像可能な撮像手段と、
前記撮像手段が撮像した前記対象者の撮像情報である対象者撮像情報と、所定の評価項目に基づき、同対象者の皮膚又は毛髪の性質を評価する対象者生体評価手段と、
該対象者生体評価手段が評価した前記対象者の皮膚又は毛髪の性質を評価した情報である対象者生体評価情報と所定の条件に基づき、同対象者の皮膚又は毛髪の性質に合わせて照射する光の情報である適合光情報を抽出する端末側適合法情報抽出部とを有し、
前記適合光情報に基づき、前記デバイス型光照射部からの光の照射を制御する
請求項１９、請求項２０又は請求項２１に記載の光照射装置。
【請求項２４】
対象者の皮膚又は毛髪に対して、接触又は非接触でその性質の情報を取得可能な生体情報取得部を備え、
前記生体情報取得部が取得した前記対象者の生体情報である対象者生体情報に基づき、所定の条件で抽出された情報であり、同対象者の皮膚又は毛髪の性質に合わせて照射する光の情報である適合光情報を受信して、該適合光情報に基づき、前記デバイス型光照射部からの光の照射を制御する
請求項１９、請求項２０又は請求項２１に記載の光照射装置。
【請求項２５】
対象者の皮膚又は毛髪に対して、接触又は非接触でその性質の情報を取得可能な生体情報取得部を備え、
前記生体情報取得部は、取得した前記対象者の生体情報である対象者生体情報と所定の条件に基づき、同対象者の皮膚又は毛髪の性質に合わせて照射する光の情報である適合光情報を抽出する取得部側適合法情報抽出部を有し、
前記適合光情報に基づき、前記デバイス型光照射部からの光の照射を制御する
請求項１９、請求項２０又は請求項２１に記載の光照射装置。
【請求項２６】
前記スマートフォン端末は、設定した時間に基づく条件に応じて、前記デバイス型光照射部による光の照射を制御可能なタイマー制御手段を有する
請求項１９、請求項２０、請求項２１、請求項２２、請求項２３、請求項２４又は請求項２５に記載の光照射装置。
【発明の詳細な説明】
【技術分野】
【０００１】
本発明は光照射装置に関する。詳しくは、使い勝手が良く、対象者の肌や毛髪等への優れた美容効果が得られる光照射装置に係るものである。
【背景技術】
【０００２】
近年、ＬＥＤ光源等から生じる特定の波長の光を対象者の肌や毛髪等に照射して、生体内の酵素やホルモンに刺激を与えることで、肌や毛髪等の状態を改善する技術が用いられている。
【０００３】
肌等への光照射では、光の色（波長範囲）に応じて、保湿成分を産生する酵素の活性化、殺菌作用、抗炎症作用、しわやくすみの改善等、種々の効果が得られる。また、この光照射を用いる技術は、日常で手軽に行える家庭での美容処理から、医療分野における治療まで多岐に渡っている。
【０００４】
例えば、対象者の皮膚に、面状発光ダイオードマトリックスからの光を照射し、皮膚を活性化させて美肌回復処理を施し、或いは創傷等の回復治療を施すための、面状光照射装置が存在する（例えば、特許文献１参照）。
【０００５】
また、家庭での美容処理に使用する光照射装置として、例えば、肌への美容作用や脱毛効果を得るために、装置本体を使用者が手に持って、光の照射部を皮膚の作用させたい領域に向けて光を照射する装置が存在する。
【０００６】
このように、対象者の肌や毛髪等に美容効果を付与するための光照射装置は、利用目的や使用する場所に応じて、様々な機能や大きさの光照射装置が用いられている。
【先行技術文献】
【特許文献】
【０００７】
【特許文献１】特開２００７−２０９７１０号公報
【発明の概要】
【発明が解決しようとする課題】
【０００８】
しかしながら、美容効果が得られる光照射装置について、もっと手軽に、かつ、更に良好な美容効果を得たいという潜在的な要求が存在する。
【０００９】
例えば、前述した家庭用の光照射装置では、美容効果や脱毛効果を得る為に、１日に５分から２０分程度の時間の処理を、１週間に１、２回程の回数行って、これを２〜３か月継続する必要がある。
【００１０】
即ち、光照射装置を利用する為だけに時間を割く必要が生じている。仮に、１回の処理に要する時間がもっと短く、処理の頻度が少なくても、使用者によっては煩わしさを感じるおそれがある。
【００１１】
また、光照射装置を使用する場所が家庭やエステサロン、病院等に限定されているという不都合がある。生活の様々な場面で、光照射装置が利用可能となれば、効率良く、かつ、更に優れた美容効果を得ることも可能である。
【００１２】
本発明は、以上の点に鑑みて創案されたものであり、使い勝手が良く、対象者の肌や毛髪等への優れた美容効果が得られる光照射装置を提供することを目的とする。
【課題を解決するための手段】
【００１３】
上記の目的を達成するために、本発明の光照射装置は、スマートフォン端末と、該スマートフォン端末に取付け可能なケース体と、該ケース体に設けられ、所定の波長の光を対象者に向けて照射可能、かつ、光の照射を制御可能なケース型光照射部とを備える。
【００１４】
ここで、所定の波長の光を対象者に向けて照射可能なケース型光照射部によって、対象者の皮膚や毛髪等に、所定の波長の光を照射して、波長に応じた美容処理を施すことができる。また、美容処理だけでなく、所定の波長の光に応じて、アンチエイジング効果、リラックス効果、ストレス軽減効果、治療効果等をもたらすことができる。
【００１５】
また、ケース型光照射部が光の照射を制御可能に構成されたことによって、皮膚や毛髪等に対して付与したい美容作用に応じて、照射する光の波長、光の強度、照射時間、照射する位置等を調整することが可能となる。
【００１６】
また、スマートフォン端末と、スマートフォン端末に取付け可能なケース体と、ケース体に設けられ、所定の波長の光を対象者に向けて照射可能なケース型光照射部によって、スマートフォン端末を使用しながら、皮膚や毛髪等に光照射を行うことができる。即ち、スマートフォン端末を用いた通話や端末画面を操作する作業中に、光を照射して、皮膚や毛髪等に美容処理等を施すことができる。
【００１７】
また、所定の波長の光は、少なくとも、赤色光、緑色光、青色光、黄色光、又は、白色光から選択される１つである場合には、光の種類を選択して、各光の照射により得られる美容作用等を皮膚や毛髪等に施すことができる。また、複数の色を組み合わせることで、各色に基づく美容作用等について、複合的な作用や相乗的な効果を得ることが可能となる。なお、ここでいう、赤色光とは、主に波長６２０〜７５０ｎｍの範囲の光である。また、緑色光とは、主に波長４９５〜５７０ｎｍの範囲の光である。また、青色光とは、主に波長４５０〜４９５ｎｍの範囲の光である。また、黄色光とは、主に波長５７０〜６２０ｎｍの範囲の光である。なお、黄色光は橙色光を含んでいてもよい。更に、ここでいう白色光とは、複数の波長の光を組み合わせて生じる色であり、例えば、青色光と黄色光を組み合わせて白色光としたものが採用される。
【００１８】
また、ケース体が、スマートフォン端末の端末画面を閉塞可能な蓋部本体を有する場合には、蓋部本体でスマートフォン端末の端末画面を覆って、端末画面を保護することが可能となる。
【００１９】
また、ケース体が、スマートフォン端末の端末画面を閉塞可能な蓋部本体を有し、ケース型光照射部が、蓋部本体の端末画面と対向する面に設けられた場合には、蓋部本体を開いた状態で、スマートフォン端末の使用者の顔等に光を照射しやすい構造となる。特に、スマートフォン端末で通話を行う際に、通話しながら光を照射することが可能となる。
【００２０】
また、ケース体が、蓋部本体に連設され、蓋部本体とは反対側に回動可能な連設蓋部が設けられ、ケース型光照射部が、連設蓋部の蓋部本体と対向する面に設けられた場合には、蓋部本体だけでなく、連設蓋部からも光を照射することが可能となる。即ち、光を照射可能な範囲が広がると共に、光を照射する位置の変更も容易になり、対象者の皮膚や毛髪等に効率良く光を照射することができる。この結果、光の波長に応じて得られる美容作用等の効果をより一層向上させることができる。
【００２１】
また、端末画面の表面、又は、ケース型光照射部の表面の少なくとも一方に設けられた光を透過可能なシート状体であり、所定の色を有するパワーストーンの粒子が配合された第１のカラーフィルター部を有する場合には、パワーストーンの粒子の色に基づき、精神的にリラックスさせる、やる気や集中力を促す等のカラーセラピーの効果を得ることが可能となる。また、対象者の誕生日等に合わせてパワーストーンの粒子の色を選択して、運気の向上等をもたらすこともできる。なお、ここでいうパワーストーンの粒子とは、特に大きさが限定されるものではないが、例えば、宝石の形状加工等に伴って生じる石の微粉末（ダスト）等を用いることができる。
【００２２】
また、スマートフォン端末が、対象者を撮像可能な撮像手段を有する場合には、撮像手段を介して、対象者の皮膚や毛髪の撮像情報を取得することができる。
【００２３】
また、撮像手段が撮像した対象者の撮像情報である対象者撮像情報と、対象者撮像情報を元に対象者の皮膚又は毛髪の性質を評価した情報である対象者生体評価情報を用いる場合には、撮像情報から対象者の皮膚や毛髪の現在の状態を把握する情報とすることができる。即ち、例えば、肌の撮像情報を元に、肌の色、くすみ、肌のきめ、しみ、しわ、そばかす、水分量（弾力含む）、油分量（皮脂量含む）、乾燥、毛穴等について、対象者の皮膚の状態や各パラメータの程度を評価した情報とすることができる。また、例えば、毛髪の撮像情報を元に、毛髪の色、毛の太さ、毛量、毛の疎密、毛髪の表面の荒れ、頭皮の荒れ、水分量、油分量等について、対象者の毛髪や頭皮の状態や各パラメータの程度を評価した情報とすることができる。また、肌や毛髪等の撮像情報から対象者生体評価情報を得る際には、既存の画像解析技術を用いることができる。例えば、撮像情報から得られるＲＧＢ値及びこれを基に変換した色相、彩度、明度の値と、肌の色等の各パラメータを段階分けして、各数値で設定した評価項目とを照合して、対象者生体評価情報を算出することができる。また、対象者生体評価情報の算出する機能は、例えば、スマートフォン端末との間で情報の送受信が可能なサーバに持たせることができる。また、スマートフォン端末の撮像手段を介するため、対象者ごとのケアが必要な肌や毛髪等の状態を容易に確認することが可能となる。
【００２４】
また、撮像手段が撮像した対象者の撮像情報である対象者撮像情報と、対象者撮像情報を元に対象者の皮膚又は毛髪の性質を評価した情報である対象者生体評価情報とに基づき、所定の条件で抽出された情報であり、対象者の皮膚又は毛髪の性質に合わせて照射する光の情報である適合光情報を受信して、適合光情報に基づき、ケース型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体評価情報の各情報に対して、肌や毛髪等の性質の良・不良を分けて、かつ、その状態を維持、向上又は改善するための光の波長と紐付けるための条件である。即ち、例えば、対象者生体評価情報が、肌のしみの多少について３段階（多い・普通・少ない）で表す情報であれば、肌のしみが「多い」とする評価情報が得られれば、肌のしみの改善に働く赤色光を照射するとの内容の情報が適合光情報となる。また、評価情報と光の色との組み合わせは、種々の閾値や条件項目の数、これらの組み合わせ等で適宜設定することができる。更に、対象者撮像情報及び対象者生体評価情報に基づき、所定の条件で適合光情報を抽出する機能は、例えば、スマートフォン端末との間で情報の送受信が可能なサーバに持たせることができる。
【００２５】
また、スマートフォン端末が、対象者を撮像可能な撮像手段と、撮像手段が撮像した対象者の撮像情報である対象者撮像情報と、所定の評価項目に基づき、対象者の皮膚又は毛髪の性質を評価する対象者生体評価手段を有する場合には、スマートフォン端末から、対象者生体評価情報を得ることができる。即ち、サーバとの通信ができない環境下においても、対象者生体評価手段を取得可能となる。
【００２６】
また、スマートフォン端末が、対象者生体評価手段が評価した対象者の皮膚又は毛髪の性質を評価した情報である対象者生体評価情報と所定の条件に基づき、対象者の皮膚又は毛髪の性質に合わせて照射する光の情報である適合光情報を抽出する端末側適合法情報抽出部を有する場合には、スマートフォン端末から、適合光情報を得ることができる。即ち、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００２７】
また、対象者の皮膚又は毛髪に対して、接触又は非接触でその性質の情報を取得可能な生体情報取得部を備える場合には、生体情報取得部を用いて、対象者の皮膚や毛髪の現在の状態を示す各パラメータを測定することができる。即ち、例えば、肌に対しては、肌の色、くすみ、肌のきめ、しみ、しわ、そばかす、水分量（弾力含む）、油分量（皮脂量含む）、乾燥、毛穴等について、既存の測定装置を生体情報取得部として用いて測定することができる。また、例えば、毛髪に対しては、毛髪の色、毛の太さ、毛量、毛の疎密、毛髪の表面の荒れ、頭皮の荒れ、水分量、油分量等について、既存の測定装置を生体情報取得部として用いて測定することができる。
【００２８】
また、生体情報取得部が取得した対象者の生体情報である対象者生体情報に基づき、所定の条件で抽出された情報であり、対象者の皮膚又は毛髪の性質に合わせて照射する光の情報である適合光情報を受信して、適合光情報に基づき、ケース型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体情報の各情報に対して、肌や毛髪等の性質の良・不良を分けて、かつ、その状態を維持、向上又は改善するための光の波長と紐付けるための条件である。即ち、例えば、対象者生体情報が、肌の水分量について３段階（多い・普通・少ない）で表す情報であれば、肌の水分量が「少ない」とする対象者生体情報が得られれば、肌の真皮線維芽細胞を刺激して、肌の水分を保持するヒアルロン酸の産生を活発化させる働きを有する赤色光を照射するとの内容の情報が適合光情報となる。また、対象者生体情報と光の色との組み合わせは、種々の閾値や条件項目の数、これらの組み合わせ等で適宜設定することができる。また、対象者生体情報に基づき、所定の条件で適合光情報を抽出する機能は、例えば、スマートフォン端末との間で情報の送受信が可能なサーバに持たせることができる。
【００２９】
また、生体情報取得部が、取得した対象者の生体情報である対象者生体情報と所定の条件に基づき、対象者の皮膚又は毛髪の性質に合わせて照射する光の情報である適合光情報を抽出する取得部側適合法情報抽出部を有する場合には、生体情報取得部から、適合光情報を得ることができる。即ち、スマートフォン端末が、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００３０】
また、スマートフォン端末が、設定した時間に基づく条件に応じて、ケース型光照射部による光の照射を制御可能なタイマー制御手段を有する場合には、スマートフォン端末で設定した時間の条件に合わせて、対象者への光の照射を行うことができる。例えば、起床時間に光照射が開始される設定にすることで、従来のスマートフォン端末が有する音や振動による目覚まし機能に加えて、光照射で目覚めを誘導すると共に、肌や毛髪等に美容作用等を施すことができる。また、例えば、睡眠前に一定時間、光を照射しながら、徐々に光の照射量を弱めていく設定にしておくことで、リラックス効果を付与して、寝つきを良くすると共に、肌や毛髪等に美容作用等を施すことができる。
【００３１】
また、対象者の頭部を載置可能な枕形状、又は、対象者の頭部又は全身の少なくとも一部を覆う形状に形成されたデバイス本体と、デバイス本体に設けられ、スマートフォン端末を介して操作可能に構成されると共に、所定の波長の光を対象者に向けて照射可能、かつ、光の照射を制御可能なデバイス型光照射部とを備える場合には、ケース型光照射部だけでなく、デバイス型光照射部からも、対象者に光を照射可能となる。また、対象者の頭部や全身、体の前面側、又は、体の背面側といったように、より広い範囲に、光を照射して美容作用等を施すことができる。
【００３２】
また、デバイス本体が枕形状、又は頭部の少なくとも一部を覆う形状である場合には、対象者が横になった際や、睡眠前、睡眠時、及び起床時等に、効率良く、光を照射することが可能となる。
【００３３】
また、デバイス本体が、対象者の全身の少なくとも一部を覆う形状に形成された場合には、デバイス本体を家庭だけでなく、店舗等の商業施設、駅、空港、公共施設、スポーツジム、会社等、様々な場所に設置して使用することができる。この結果、光照射による美容作用等を施す機会を得やすくなる。
【００３４】
また、デバイス型光照射部が照射する所定の波長の光は、少なくとも、赤色光、緑色光、青色光、黄色光、又は、白色光から選択される１つである場合には、光の種類を選択して、各光の照射により得られる美容作用等を皮膚や毛髪等に施すことができる。また、複数の色を組み合わせることで、各色に基づく美容作用等について、複合的な作用や相乗的な効果を得ることが可能となる。更に、ケース型光照射部が照射する光と、デバイス型光照射部が照射する光の波長を異ならせて、各照射部から得られる美容作用等を異ならせることが可能となる。
【００３５】
また、デバイス型光照射部の表面に設けられた光を透過可能なシート状体であり、所定の色を有するパワーストーンの粒子が配合された第２のカラーフィルター部を有する場合には、デバイス型光照射部からも、パワーストーンの粒子の色に基づき、精神的にリラックスさせる、やる気や集中力を促す等のカラーセラピーの効果を得ることが可能となる。また、対象者の誕生日等に合わせてパワーストーンの粒子の色を選択して、運気の向上等をもたらすこともできる。
【００３６】
また、撮像手段が撮像した対象者の撮像情報である対象者撮像情報と、対象者撮像情報を元に対象者の皮膚又は毛髪の性質を評価した情報である対象者生体評価情報を用いる場合には、撮像情報から対象者の皮膚や毛髪の現在の状態を把握する情報とすることができる。即ち、例えば、肌の撮像情報を元に、肌の色、くすみ、肌のきめ、しみ、しわ、そばかす、水分量（弾力含む）、油分量（皮脂量含む）、乾燥、毛穴等について、対象者の皮膚の状態や各パラメータの程度を評価した情報とすることができる。また、例えば、毛髪の撮像情報を元に、毛髪の色、毛の太さ、毛量、毛の疎密、毛髪の表面の荒れ、頭皮の荒れ、水分量、油分量等について、対象者の毛髪や頭皮の状態や各パラメータの程度を評価した情報とすることができる。また、肌や毛髪等の撮像情報から対象者生体評価情報を得る際には、既存の画像解析技術を用いることができる。例えば、撮像情報から得られるＲＧＢ値及びこれを基に変換した色相、彩度、明度の値と、肌の色等の各パラメータを段階分けして、各数値で設定した評価項目とを照合して、対象者生体評価情報を算出することができる。また、対象者生体評価情報の算出する機能は、例えば、スマートフォン端末との間で情報の送受信が可能なサーバに持たせることができる。また、スマートフォン端末の撮像手段を介するため、対象者ごとのケアが必要な肌や毛髪等の状態を容易に確認することが可能となる。
【００３７】
また、撮像手段が撮像した対象者の撮像情報である対象者撮像情報と、対象者撮像情報を元に対象者の皮膚又は毛髪の性質を評価した情報である対象者生体評価情報とに基づき、所定の条件で抽出された情報であり、対象者の皮膚又は毛髪の性質に合わせて照射する光の情報である適合光情報を受信して、適合光情報に基づき、デバイス型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体評価情報の各情報に対して、肌や毛髪等の性質の良・不良を分けて、かつ、その状態を維持、向上又は改善するための光の波長と紐付けるための条件である。即ち、例えば、対象者生体評価情報が、肌のしみの多少について３段階（多い・普通・少ない）で表す情報であれば、肌のしみが「多い」とする評価情報が得られれば、肌のしみの改善に働く赤色光を照射するとの内容の情報が適合光情報となる。また、評価情報と光の色との組み合わせは、種々の閾値や条件項目の数、これらの組み合わせ等で適宜設定することができる。更に、対象者撮像情報及び対象者生体評価情報に基づき、所定の条件で適合光情報を抽出する機能は、例えば、スマートフォン端末との間で情報の送受信が可能なサーバに持たせることができる。
【００３８】
また、スマートフォン端末が、対象者を撮像可能な撮像手段と、撮像手段が撮像した対象者の撮像情報である対象者撮像情報と、所定の評価項目に基づき、対象者の皮膚又は毛髪の性質を評価する対象者生体評価手段を有する場合には、スマートフォン端末から、対象者生体評価情報を得ることができる。即ち、サーバとの通信ができない環境下においても、対象者生体評価手段を取得可能となる。
【００３９】
また、スマートフォン端末が、対象者生体評価手段が評価した対象者の皮膚又は毛髪の性質を評価した情報である対象者生体評価情報と所定の条件に基づき、対象者の皮膚又は毛髪の性質に合わせて照射する光の情報である適合光情報を抽出する端末側適合法情報抽出部を有する場合には、スマートフォン端末から、適合光情報を得ることができる。即ち、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００４０】
また、対象者の皮膚又は毛髪に対して、接触又は非接触でその性質の情報を取得可能な生体情報取得部を備える場合には、生体情報取得部を用いて、対象者の皮膚や毛髪の現在の状態を示す各パラメータを測定することができる。即ち、例えば、肌に対しては、肌の色、くすみ、肌のきめ、しみ、しわ、そばかす、水分量（弾力含む）、油分量（皮脂量含む）、乾燥、毛穴等について、既存の測定装置を生体情報取得部として用いて測定することができる。また、例えば、毛髪に対しては、毛髪の色、毛の太さ、毛量、毛の疎密、毛髪の表面の荒れ、頭皮の荒れ、水分量、油分量等について、既存の測定装置を生体情報取得部として用いて測定することができる。
【００４１】
また、生体情報取得部が取得した対象者の生体情報である対象者生体情報に基づき、所定の条件で抽出された情報であり、対象者の皮膚又は毛髪の性質に合わせて照射する光の情報である適合光情報を受信して、適合光情報に基づき、デバイス型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体情報の各情報に対して、肌や毛髪等の性質の良・不良を分けて、かつ、その状態を維持、向上又は改善するための光の波長と紐付けるための条件である。即ち、例えば、対象者生体情報が、肌の水分量について３段階（多い・普通・少ない）で表す情報であれば、肌の水分量が「少ない」とする対象者生体情報が得られれば、肌の真皮線維芽細胞を刺激して、肌の水分を保持するヒアルロン酸の産生を活発化させる働きを有する赤色光を照射するとの内容の情報が適合光情報となる。また、対象者生体情報と光の色との組み合わせは、種々の閾値や条件項目の数、これらの組み合わせ等で適宜設定することができる。また、対象者生体情報に基づき、所定の条件で適合光情報を抽出する機能は、例えば、スマートフォン端末との間で情報の送受信が可能なサーバに持たせることができる。
【００４２】
また、生体情報取得部が、取得した対象者の生体情報である対象者生体情報と所定の条件に基づき、対象者の皮膚又は毛髪の性質に合わせて照射する光の情報である適合光情報を抽出する取得部側適合法情報抽出部を有する場合には、生体情報取得部から、適合光情報を得ることができる。即ち、スマートフォン端末が、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００４３】
また、スマートフォン端末が、設定した時間に基づく条件に応じて、デバイス型光照射部による光の照射を制御可能なタイマー制御手段を有する場合には、デバイス型光照射部についても、スマートフォン端末で設定した時間の条件に合わせて、対象者への光の照射を行うことができる。例えば、起床時間に光照射が開始される設定にすることで、従来のスマートフォン端末が有する音や振動による目覚まし機能に加えて、光照射で目覚めを誘導すると共に、肌や毛髪等に美容作用等を施すことができる。また、例えば、睡眠前に一定時間、光を照射しながら、徐々に光の照射量を弱めていく設定にしておくことで、リラックス効果を付与して、寝つきを良くすると共に、肌や毛髪等に美容作用等を施すことができる。
【００４４】
また、上記の目的を達成するために、本発明の光照射装置は、スマートフォン端末と、対象者の頭部を載置可能な枕形状、又は、対象者の頭部又は全身の少なくとも一部を覆う形状に形成されたデバイス本体と、該デバイス本体に設けられ、前記スマートフォン端末を介して操作可能に構成されると共に、所定の波長の光を対象者に向けて照射可能、かつ、光の照射を制御可能なデバイス型光照射部とを備える。
【００４５】
ここで、所定の波長の光を対象者に向けて照射可能なデバイス型光照射部によって、対象者の皮膚や毛髪等に、所定の波長の光を照射して、波長に応じた美容処理を施すことができる。また、美容処理だけでなく、所定の波長の光に応じて、アンチエイジング効果、リラックス効果、ストレス軽減効果、治療効果等をもたらすことができる。
【００４６】
また、デバイス型光照射部が光の照射を制御可能に構成されたことによって、皮膚や毛髪等に対して付与したい美容作用に応じて、照射する光の波長、光の強度、照射時間、照射する位置等を調整することが可能となる。
【００４７】
また、デバイス型光照射部が、スマートフォン端末を介して操作可能に構成されることによって、使用者はデバイス型光照射部を容易に使用することが可能となる。
【００４８】
また、デバイス型光照射部が照射する所定の波長の光は、少なくとも、赤色光、緑色光、青色光、黄色光、又は、白色光から選択される１つである場合には、光の種類を選択して、各光の照射により得られる美容作用等を皮膚や毛髪等に施すことができる。また、複数の色を組み合わせることで、各色に基づく美容作用等について、複合的な作用や相乗的な効果を得ることが可能となる。更に、ケース型光照射部が照射する光と、デバイス型光照射部が照射する光の波長を異ならせて、各照射部から得られる美容作用等を異ならせることが可能となる。
【００４９】
また、デバイス型光照射部の表面に設けられた光を透過可能なシート状体であり、所定の色を有するパワーストーンの粒子が配合された第３のカラーフィルター部を有する場合には、デバイス型光照射部からも、パワーストーンの粒子の色に基づき、精神的にリラックスさせる、やる気や集中力を促す等のカラーセラピーの効果を得ることが可能となる。また、対象者の誕生日等に合わせてパワーストーンの粒子の色を選択して、運気の向上等をもたらすこともできる。
【００５０】
また、撮像手段が撮像した対象者の撮像情報である対象者撮像情報と、対象者撮像情報を元に対象者の皮膚又は毛髪の性質を評価した情報である対象者生体評価情報を用いる場合には、撮像情報から対象者の皮膚や毛髪の現在の状態を把握する情報とすることができる。即ち、例えば、肌の撮像情報を元に、肌の色、くすみ、肌のきめ、しみ、しわ、そばかす、水分量（弾力含む）、油分量（皮脂量含む）、乾燥、毛穴等について、対象者の皮膚の状態や各パラメータの程度を評価した情報とすることができる。また、例えば、毛髪の撮像情報を元に、毛髪の色、毛の太さ、毛量、毛の疎密、毛髪の表面の荒れ、頭皮の荒れ、水分量、油分量等について、対象者の毛髪や頭皮の状態や各パラメータの程度を評価した情報とすることができる。また、肌や毛髪等の撮像情報から対象者生体評価情報を得る際には、既存の画像解析技術を用いることができる。例えば、撮像情報から得られるＲＧＢ値及びこれを基に変換した色相、彩度、明度の値と、肌の色等の各パラメータを段階分けして、各数値で設定した評価項目とを照合して、対象者生体評価情報を算出することができる。また、対象者生体評価情報の算出する機能は、例えば、スマートフォン端末との間で情報の送受信が可能なサーバに持たせることができる。また、スマートフォン端末の撮像手段を介するため、対象者ごとのケアが必要な肌や毛髪等の状態を容易に確認することが可能となる。
【００５１】
また、撮像手段が撮像した対象者の撮像情報である対象者撮像情報と、対象者撮像情報を元に対象者の皮膚又は毛髪の性質を評価した情報である対象者生体評価情報とに基づき、所定の条件で抽出された情報であり、対象者の皮膚又は毛髪の性質に合わせて照射する光の情報である適合光情報を受信して、適合光情報に基づき、デバイス型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体評価情報の各情報に対して、肌や毛髪等の性質の良・不良を分けて、かつ、その状態を維持、向上又は改善するための光の波長と紐付けるための条件である。即ち、例えば、対象者生体評価情報が、肌のしみの多少について３段階（多い・普通・少ない）で表す情報であれば、肌のしみが「多い」とする評価情報が得られれば、肌のしみの改善に働く赤色光を照射するとの内容の情報が適合光情報となる。また、評価情報と光の色との組み合わせは、種々の閾値や条件項目の数、これらの組み合わせ等で適宜設定することができる。更に、対象者撮像情報及び対象者生体評価情報に基づき、所定の条件で適合光情報を抽出する機能は、例えば、スマートフォン端末との間で情報の送受信が可能なサーバに持たせることができる。
【００５２】
また、スマートフォン端末が、対象者を撮像可能な撮像手段と、撮像手段が撮像した対象者の撮像情報である対象者撮像情報と、所定の評価項目に基づき、対象者の皮膚又は毛髪の性質を評価する対象者生体評価手段を有する場合には、スマートフォン端末から、対象者生体評価情報を得ることができる。即ち、サーバとの通信ができない環境下においても、対象者生体評価手段を取得可能となる。
【００５３】
また、スマートフォン端末が、対象者生体評価手段が評価した対象者の皮膚又は毛髪の性質を評価した情報である対象者生体評価情報と所定の条件に基づき、対象者の皮膚又は毛髪の性質に合わせて照射する光の情報である適合光情報を抽出する端末側適合法情報抽出部を有する場合には、スマートフォン端末から、適合光情報を得ることができる。即ち、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００５４】
また、対象者の皮膚又は毛髪に対して、接触又は非接触でその性質の情報を取得可能な生体情報取得部を備える場合には、生体情報取得部を用いて、対象者の皮膚や毛髪の現在の状態を示す各パラメータを測定することができる。即ち、例えば、肌に対しては、肌の色、くすみ、肌のきめ、しみ、しわ、そばかす、水分量（弾力含む）、油分量（皮脂量含む）、乾燥、毛穴等について、既存の測定装置を生体情報取得部として用いて測定することができる。また、例えば、毛髪に対しては、毛髪の色、毛の太さ、毛量、毛の疎密、毛髪の表面の荒れ、頭皮の荒れ、水分量、油分量等について、既存の測定装置を生体情報取得部として用いて測定することができる。
【００５５】
また、生体情報取得部が取得した対象者の生体情報である対象者生体情報に基づき、所定の条件で抽出された情報であり、対象者の皮膚又は毛髪の性質に合わせて照射する光の情報である適合光情報を受信して、適合光情報に基づき、デバイス型光照射部からの光の照射を制御する場合には、対象者の皮膚や毛髪の現在の状態に合わせて、より美しくしたい項目や、不具合や改善が必要な項目に対応する光を選択して、対象者に照射することができる。なお、ここでいう所定の条件とは、対象者生体情報の各情報に対して、肌や毛髪等の性質の良・不良を分けて、かつ、その状態を維持、向上又は改善するための光の波長と紐付けるための条件である。即ち、例えば、対象者生体情報が、肌の水分量について３段階（多い・普通・少ない）で表す情報であれば、肌の水分量が「少ない」とする対象者生体情報が得られれば、肌の真皮線維芽細胞を刺激して、肌の水分を保持するヒアルロン酸の産生を活発化させる働きを有する赤色光を照射するとの内容の情報が適合光情報となる。また、対象者生体情報と光の色との組み合わせは、種々の閾値や条件項目の数、これらの組み合わせ等で適宜設定することができる。また、対象者生体情報に基づき、所定の条件で適合光情報を抽出する機能は、例えば、スマートフォン端末との間で情報の送受信が可能なサーバに持たせることができる。
【００５６】
また、生体情報取得部が、取得した対象者の生体情報である対象者生体情報と所定の条件に基づき、対象者の皮膚又は毛髪の性質に合わせて照射する光の情報である適合光情報を抽出する取得部側適合法情報抽出部を有する場合には、生体情報取得部から、適合光情報を得ることができる。即ち、スマートフォン端末が、サーバとの通信ができない環境下においても、適合光情報を取得して、対象者の皮膚や毛髪の現在の状態に合わせて、より美しくしたい項目や、不具合や改善が必要な項目に対応する光を選択して、対象者に照射することができる。
【００５７】
また、スマートフォン端末が、設定した時間に基づく条件に応じて、デバイス型光照射部による光の照射を制御可能なタイマー制御手段を有する場合には、スマートフォン端末で設定した時間の条件に合わせて、対象者への光の照射を行うことができる。例えば、起床時間に光照射が開始される設定にすることで、従来のスマートフォン端末が有する音や振動による目覚まし機能に加えて、光照射で目覚めを誘導すると共に、肌や毛髪等に美容作用等を施すことができる。また、例えば、睡眠前に一定時間、光を照射しながら、徐々に光の照射量を弱めていく設定にしておくことで、リラックス効果を付与して、寝つきを良くすると共に、肌や毛髪等に美容作用等を施すことができる。
【発明の効果】
【００５８】
本発明に係る光照射装置は、使い勝手が良く、対象者の肌や毛髪等への優れた美容効果が得られるものとなっている。
【図面の簡単な説明】
【００５９】
【図１】（ａ）は、本発明の第１の実施の形態である光照射装置の構造を示す概略図であり、（ｂ）は、保護シートの構造を示す概略断面図である。
【図２】ケース体の形状のバリエーションを示す図である。
【図３】スマートフォン端末とサーバの関係を示す概念ブロック図である。
【図４】（ａ）は、枕型デバイスを有する光照射装置の構造を示す概略図であり、（ｂ）は、枕型デバイスの使用状態を示す図である。
【図５】スマートフォン端末のケース体と、枕型デバイスの両方から使用者に光を照射した状態を示す図である。
【図６】枕型デバイスとブリッジ型デバイスを有する光照射装置の構造と使用状態を示す図である。
【図７】円筒形デバイスを有する光照射装置の構造を示す概略図である。
【図８】（ａ）は、ベッド型デバイスを有する光照射装置の構造を示す概略図であり、（ｂ）は、シャワー型デバイスを有する光照射装置の構造を示す概略図である。
【図９】天井型デバイスを有する光照射装置の構造を示す概略図である。
【図１０】ケース体の形状の更なるバリエーションを示す図である。
【図１１】（ａ）は、ケース体の形状の更なるバリエーションを示す図であり、（ｂ）は、カラーストーンを配合したケース体の形状の他のバリエーションを示す図である。
【図１２】枕型デバイスを有する光照射装置の他のバリエーションの構造と使用状態を示す図である。
【発明を実施するための形態】
【００６０】
以下、図面を参照して、本発明を実施するための形態（以下、「実施の形態」と称する）を説明する。
なお、以下の説明においては、同一の機能を有する部材には同一又は関連する符号を付し、その繰り返しの説明は省略する。
【００６１】
［第１の実施の形態］
図１乃至図３を参照しながら、本発明の第１の実施の形態である光照射装置について説明する。
【００６２】
図１（ａ）に示すように、本発明を適用した光照射装置１は、スマートフォン端末２と、ケース体３と、ＬＥＤ光照射部４を備えている。
【００６３】
スマートフォン端末２は、インターネット５等との通信を制御する通信部等を有し、サーバ６との間で情報の送受信が可能に構成されている（図３参照）。
【００６４】
また、スマートフォン端末２は、携帯機器用オペレーティングシステム（携帯機器用ＯＳ）を備えた携帯電話である。スマートフォン端末２は、ユーザーインターフェースや各種設定ツールなどのユーティリティが組み込まれると共に、通話機能、インターネット閲覧機能、アプリケーションソフトウェアのダウンロードによる各種機能、高速通信機能、Bluetooth（登録商標）を用いた通信機能、無線ＬＡＮ機能等を有する既知のスマートフォン端末が利用できる。
【００６５】
ケース体３は、スマートフォン端末２の端末本体２０の背面側に着脱可能な保護カバー体である。ケース体３は、背面側カバー部３０と、蓋部３１を有している。背面側カバー部３０と蓋部３１は、端末本体２０より一回り大きく形成された板状体であり、接合部３２を軸に開閉可能に構成されている。
【００６６】
即ち、スマートフォン端末２は、背面側カバー部３０と蓋部３１の間に配置され、蓋部３１を閉じた状態で、端末本体２０の画面側及び背面側が、蓋部３１及び背面側カバー部３０に覆われて保護される。
【００６７】
また、蓋部３１の内周面側（スマートフォン端末２側）には、ＬＥＤ光照射部４が設けられている。ＬＥＤ光照射部４は、スマートフォン端末２の使用者の皮膚や毛髪等に、所定の波長の光を照射する部材である。
【００６８】
図１（ａ）に示すように、ＬＥＤ光照射部４は、各種の波長の光を照射する複数のＬＥＤ光源４０が基板４００に配設された薄板状の部材である。基板４００の表面は、鏡面加工が施され、ＬＥＤ光源４０から生じる光を反射して、光の照射効率が高められている。
【００６９】
また、ＬＥＤ光源４０が作動する為の電力は、スマートフォン端末２側から供給可能に構成されている。例えば、ケース体３とスマートフォン端末２をケーブル等で繋ぎ、スマートフォン端末２の電力を消費して、ＬＥＤ光源４０が作動させることができる。
【００７０】
なお、ＬＥＤ光源４０への電力供給の構造は、ケーブルでの接続に限らず、非接触型の電力伝送の構造を採用して、スマートフォン端末２からＬＥＤ光源４０に電力を供給することもできる。更に、スマートフォン端末２側から電力供給をせずに、ケース体３に直接、コンセントやコネクタを有する電力供給用のケーブルを繋ぎ、ケース体３（ＬＥＤ光源４０）を充電して電力を使用する構造としてもよい。
【００７１】
また、各ＬＥＤ光源４０は、赤色光、緑色光、青色光、黄色光、白色光等、種々の波長範囲の光を照射可能に設けられている。
【００７２】
ここで、例えば、光の色と波長範囲は、以下の内容が採用しうる。赤色光は、波長６２０〜７５０ｎｍの範囲であり、緑色光は、波長４９５〜５７０ｎｍの範囲であり、青色光は、波長４５０〜４９５ｎｍの範囲であり、黄色光は、波長５７０〜６２０ｎｍの範囲の光である。また、黄色光は橙色光を含んでいてもよい。更に、白色光は、複数の波長の光の組み合わせにより生じ、例えば、青色光と黄色光を組み合わせて白色光としたものが採用可能である。
【００７３】
また、種々の波長範囲の光を、人の肌や毛髪に照射した際に得られる効果効能として、例えば、以下のような内容が挙げられる。
【００７４】
まず、赤色光は、皮膚に照射することで、皮膚の真皮に存在するコラーゲンやエラスチンをつくる繊維芽細胞内のミトコンドリアに作用して、コラーゲン細胞を活性化させることでコラーゲンの産生や再生、損傷した組織や古い組織を交換する時に必要なタンパク質の修復等を促す。また、赤色光は、肌の外表面と真皮層におけるアンチエイジング効果（肌のしみ、しわ、くすみ、むくみの改善、潤いにより乾燥を防ぐ、肌のハリと弾力を高める）が得られる。
【００７５】
また、赤色光は、毛髪に照射することで、髪表面のケラチンの生成や修復、頭皮の循環改善、育毛等の効果が生じる。更に、赤色光を皮膚等に照射して、血行促進の効果も得られる。
【００７６】
また、緑色光は、肌に照射することで、シミやニキビ跡、傷痕などの色素沈着を薄くする効果が得られる。また、緑色光は、肌のそばかすやしわの改善の作用もある。
【００７７】
また、青色光は、皮膚に照射することで、殺菌、抗炎症作用や、アクネ桿菌を殺菌によるにきび抑止、皮脂分泌の抑制による脂性のあの効果が得られる。また、青色光は、顔以外の皮膚、例えば、足、爪、陰部等における水虫の治療、症状改善の効果を生じる。
【００７８】
更に、青色光は、アレルギー性の症状の好転作用、肌の分泌バランスの正常化、傷跡治療、毛穴を縮小させながら肌を清浄化する効果が得られる。
【００７９】
また、黄色光は、肌に照射することで、リンパの流れを活性化させ、細胞の修復効果を促進させる効果がある。また、この作用に伴い、傷ついた細胞を修復して、肌のターンオーバを正常に導くことができる。
【００８０】
また、黄色光は、敏感肌や乾燥肌の原因を修復、解毒することで、正常な肌質へと改善させる効果もある。例えば、黄色光は、皮膚の循環改善、赤斑改善、循環不足解消、年齢とともに出現する代謝不足や循環不良により生じるシミの改善（斑、老年の斑の改善）の作用を有する。
【００８１】
また、白色光は、肌に照射することで、筋肉のもとになる細胞を活性化し、筋組織を太くして、密度を高めることで、肌のタルミ、ほうれい線やシワの改善効果が得られる。
【００８２】
なお、照射する光の波長は、各色を生じる波長の範囲であれば特に限定されるものではないが、特定の作用を効率良く得る為に、同範囲内で特定の波長が得られる構成としてもよい。また、ＬＥＤ光照射部４を容易に構築する為に、汎用性が高い波長（例えば、赤色であれば６２３ｎｍ）を選択してもよい。
【００８３】
また、ＬＥＤ光照射部４は、スマートフォン端末２のユーザーインターフェースを介して、操作可能に構成されている。例えば、スマートフォン端末２の画面のタッチ操作を介して、ＬＥＤ光照射部４による光の照射を操作可能である。
【００８４】
また、ＬＥＤ光照射部４はBluetoothを搭載しており、スマートフォン端末２との間で、Bluetooth通信を介して操作可能に構成されている。なお、本発明を適用した光照射装置では、第１の実施の形態である光照射装置１だけでなく、後述する各光照射装置における光照射部を有するデバイスもBluetoothを搭載した構造が採用しうる。また、装置構成によっては、Bluetooth通信だけなく、その他の既知の無線通信技術や、有線のケーブルを介した通信を採用しうる。
【００８５】
また、ここでいうスマートフォン端末２を介したＬＥＤ光照射部４の操作とは、例えば、光の照射のＯＮ／ＯＦＦの制御、色の選択、複数の色の組み合わせ、光の照射時間、照射する光の強度、光の断続的な照射やパルス照射等の設定を含んでいる。更には、ＬＥＤ光照射部４が、使用者に肌等に光を当てる位置を変更する為の設定等を含んでいてもよい。
【００８６】
また、ケース体３は、スマートフォン端末２に取付け可能であり、ＬＥＤ光照射部４を有していれば、その形状や大きさは特に限定されるものではない。なお、ケース体３の形状のバリエーションについては後述する。
【００８７】
［カラーストーン］
また、ケース体３の蓋部３１の表面には、保護シート３３が設けられている。図１（ｂ）に示すように、この保護シート３３は、カラーストーン配合層３３０と、保護フィルム層３３１の２層で構成されている。
【００８８】
保護シート３３は、ＬＥＤ光源４０が設けられた基板４００の外表面を保護する部材である。また、保護シート３３は、ＬＥＤ光照射部４と組み合わせて、カラーストーン配合層３３０に局在する各種カラーストーンが有する色を、使用者に作用させる為の部材である。
【００８９】
カラーストーン配合層３３０及び保護フィルム層３３１は、ＬＥＤ光源４０が発した光を透過可能に構成されている（図１（ａ）中では、透過する光を左向きの矢印で示している）。また、カラーストーン配合層３３０は、例えば、宝石（カラーストーン）の研磨や形状加工等に伴って生じる微粉末（ダスト）を透明な樹脂原料に配合して形成することができる。
【００９０】
このような構造であれば、カラーストーン由来の微粉末の表面積が大きくなり、ＬＥＤ光源４０から生じた光との接触効率を高めつつ、製造にかかるコストも抑えることができる。カラーストーン由来の微粉末にＬＥＤ光源４０から生じた光が当たり、カラーストーン固有の色の光を生じさせることが可能となる。
【００９１】
また、カラーストーン配合層３３０に配合するカラーストーンの種類としては、次のようなものが挙げられる。例えば、赤色の宝石であれば、ルビー、ロードライトガーネット、スピネル等、青色の宝石であれば、ブルーサファイア、アメシスト、アクアマリン等、
緑色の宝石であれば、エメラルド、翡翠、ペリドット等、紫色の宝石であれば、アメジスト、タンザナイト等、ピンク色の宝石であれば、ピンクトルマリン、ピンクトパーズ、モルガナイト、ローズクォーツ等、黒色の宝石であれば、ブラックダイヤモンド、オニキス、ブラックスピネル、黒真珠等、白色の宝石であれば、真珠、ホワイトオニキス、ムーンストーン等である。
【００９２】
また、各カラーストーンの微粉末から生じる光からは、以下の効果がもたらされる。例えば、赤色の宝石からは、リラックス効果や、やる気を引きだし、行動力をアップさせる効果が得られる。また、青色の宝石からは、心を落ち着かせる効果や冷静さを保つ効果、集中力を高める効果が得られる。
【００９３】
また、緑色の宝石からは、癒しやヒーリング効果が得られる。また、紫色の宝石からは、ヒーリング効果やインスピレーションを高めてくれる効果が得られる。また、ピンク色の宝石からは、安心感や幸福感を与える共に、美肌効果が得られる。
【００９４】
また、黒色の宝石からは、癒しや魔除け、忍耐力や精神力を高める効果が得られる。また、白色の宝石からは、癒しや魔除け、運気を高める効果、想像力を高める効果が得られる。
【００９５】
なお、上述したカラーストーンの色や効果は、一例であり、本発明では、適宜、使用者の好みや得たい効果等に応じて、その種類を適宜変更することができる。例えば、使用者の誕生月に応じて、カラーストーンの種類を変えた複数の保護層３３を設けてもよい。
【００９６】
また、必ずしも、ケース体３の蓋部３１の表面に保護層３３を設ける必要はない。例えば、スマートフォン端末２の端末画面の表面に貼る保護シートや、端末画面の表面に着脱可能なフィルターに、カラーストーン配合層３３０を設けて、端末画面から生じる光を利用して、カラーストーンの色を生じさせる構成も採用しうる。
【００９７】
また、必ずしも、保護シート３３によりカラーストーン配合層３３０を設ける必要はない。例えば、カラーストーンの微粉末を配合したカバー体で光源を覆ったカラーストーン用の発光部材を、別途、ＬＥＤ光源４０を配設する基板４００中に配置して、ＬＥＤ光源４０と共に、カラーストーン由来の光を発行する構造とすることも可能である。
【００９８】
このカラーストーン用の発光部材を基板４００中に配置する際、上述したように、基板４００の表面に鏡面加工を施しておくことで、基板４００でカラーストーン由来の光を反射させ、その光の反射効率を高めることができる。また、カラーストーン用の発光部材を、別部材として、基板４００に着脱可能に形成しておくことで、異なる種類のカラーストーンへの交換を容易に行うことができる。
【００９９】
また、カラーストーンの光を利用する光照射装置の構造として、例えば、図１１（ｂ）に示すケース体５００を採用することもできるケース体５００は、スマートフォン端末２の背面または外周に沿って着脱自在に取付け可能なケース基台５０２と、スマートフォン端末２の端末画面側から、ケース基台５０２に取付け可能なケース蓋５０１から構成されている。
【０１００】
このケース体５００では、ケース基台５０２に設けられたマグネット部５０２ａと、ケース蓋５０１に設けられたマグネット部５０１ａとが、磁力を介してくっつくことで、ケース蓋５０１がスマートフォン端末２及びケース基台５０２に取り付けられる。
【０１０１】
また、ケース蓋５０１には、カラーストーンの微粉末が配合されたフィルター部３３０ａが設けられている。このケース体５００では、カラーストーンの種類に応じて、異なるフィルター部３３０ａを有するケース蓋５０１を複数形成しておくことで、ケース蓋５０１を交換するだけで、異なる種類のカラーストーンへの交換を容易に行うことができる。
【０１０２】
また、この複数のカラーストーンの種類に応じた、異なるフィルター部３３０ａを有するケース蓋５０１の構造は、スマートフォン端末２のケース体に限らず、後述する光照射部を有する種々のデバイス装置にも取付け可能である。
【０１０３】
［ケース体のバリエーション］
また、図１（ａ）で開示したケース体３の形状だけでなく、本発明を適用した光照射装置のケース体として、次のような形状も考えられる。
【０１０４】
例えば、図２（ａ）に示すように、ケース体３ａは、背面側カバー部３０と蓋部３１に加えて、蓋部３１の上下に、連設蓋部３１０が開閉可能に設けられている。また、２つの連設蓋部３１０の内周面には、ＬＥＤ光照射部４ａが設けられており、ＬＥＤ光照射部４ａは、蓋部３１のＬＥＤ光照射部４と同様の機能を有している。
【０１０５】
このような図２（ａ）に示すケース体３ａは、蓋部３１のＬＥＤ光照射部４及び連設蓋部３１０のＬＥＤ光照射部４ａのそれぞれから、使用者の顔や毛髪等に向けて光を照射することができる。これにより、光を照射する効率が良くなり、照射可能な範囲も広くなる。
【０１０６】
また、ＬＥＤ光照射部４やＬＥＤ光照射部４ａの開閉位置を調整可能な構造としておけば、光を照射する位置が変更しやすくなる。更に、各ＬＥＤ光照射部で照射する光の波長を異ならせることもできる。
【０１０７】
また、図２（ｂ）に示すケース体３ｂでは、蓋部３１の上下と右側に連設蓋部３１０とＬＥＤ光照射部４ａを設けている。また、図２（ｃ）に示すケース体３ｃでは、蓋部３１の右側に連設蓋部３１０とＬＥＤ光照射部４ａを設けている。更に、図２（ｄ）に示すケース体３ｄでは、背面側カバー部３０の左右両側に蓋部３１とＬＥＤ光照射部４を設けている。このように、本発明を適用した光照射装置のケース体の構造は、種々の形状が採用可能であり、デザインや使い勝手に応じて、適宜、その形状を変えることができる。
【０１０８】
更に、本発明を適用した光照射装置のケース体として、次のような形状も考えられる。
【０１０９】
例えば、図１０（ａ）に示すケース体３ｅは、スマートフォン端末２の背面または外周に沿って着脱自在に取付け可能なケース基台３１２と、ＬＥＤ光源４０が設けられた光照射部４ｄを支持して、一端がケース基台３１２に取り付けられた支持片３１１を有している。
【０１１０】
また、支持片３１１は、ケース基台３１２に対して立ち上げ可能（図１０（ａ）中の矢印Ｒ１で示す方向）に構成されている。また、支持片３１１は、支持片３１１の下部中央辺りの回転軸を軸として、左右の両方向（図１０（ａ）中の矢印Ｒ２で示す方向）に回転自在に構成されている。また、ＬＥＤ光源４０は、スマートフォン端末２側、又は、スマートフォン端末２と反対側の方向の両方に光を照射可能に構成されている。また、支持片３１１は、立ち上げた位置や、回転させた位置で、その位置を維持可能に構成されている。
【０１１１】
また、例えば、図１０（ｂ）に示すケース体３ｆは、スマートフォン端末２の背面または外周に沿って着脱自在に取付け可能なケース基台３１２ａと、ＬＥＤ光源４０が設けられた光照射部４ｅを支持して、一端がケース基台３１２ａに取り付けられた支持片３１１ａを有している。支持片３１１ａは、スマートフォン端末２の長手方向に略平行な向きで、ケース基台３１２に取り付けられている。
【０１１２】
また、支持片３１１ａは、ケース基台３１２ａに対して立ち上げ可能（図１０（ｂ）中の矢印Ｒ３で示す方向）に構成されている。また、ＬＥＤ光源４０は、スマートフォン端末２側、又は、スマートフォン端末２と反対側の方向の両方に光を照射可能に構成されている。
【０１１３】
また、例えば、図１１（ａ）に示すケース体３ｇは、スマートフォン端末２の背面側から取り付けて、スマートフォン端末２の外周を覆う形状であるケース枠体３１３で構成されている。また、ケース枠体３１３の上面にＬＥＤ光源４０が設けられている。また、ケース枠体３１３の厚みは、スマートフォン端末２の厚みよりも大きく形成されている。
【０１１４】
このような形状のケース体３ｇとすることで、スマートフォン端末２の角部や、スマートフォン端末２の端末画面を保護しやすくなる。仮に、スマートフォン端末２の端末画面側から床面等に落下した際にも、ケース枠体３１３の上面が端末画面よりも先に床面と接触して、端末画面を保護可能となる。
【０１１５】
［生体情報の取得と照射する光の制御］
図１（ａ）に示すように、スマートフォン端末２はカメラ２１を有している。カメラ２１は、静止画及び動画等の撮像情報を取得可能な部材である。カメラ２１は、使用者の皮膚や毛髪等を撮像して、皮膚や毛髪等の状態や性質を反映した生体情報を取得するための部材である。
【０１１６】
カメラ２１は、スマートフォン端末２の端末画面等を操作により撮像情報を取得でき、撮影した撮像情報は、スマートフォン端末２に内蔵されたメモリに記録したり、撮像情報としてサーバ６に送信して、サーバ６側に記録したりすることができる。
【０１１７】
また、図３に示すように、サーバ６は、カメラ２１が撮像した撮像情報から、撮像した領域に照射することが好ましい光を抽出する適合光情報処理部６０及び情報記録部６１を有している。この適合光情報処理部６０及び情報記録部６１は、スマートフォン端末２との間で、処理や動作に必要な情報を送受信可能に構成されている。
【０１１８】
また、情報記録部６１には、撮像情報６１０、生体基準情報６１１、生体評価情報６１２、適合光基準情報６１３、適合光抽出情報６１４が記録可能に構成されている。
【０１１９】
撮像情報６１０は、カメラ２１が撮像した使用者（光の照射対象となる者）の撮像情報である。また、生体基準情報６１１は、撮像情報６１０の内容から、皮膚や毛髪の状態、性質の評価結果（生体評価情報６１２）を抽出するための基準となる情報である。
【０１２０】
また、生体評価情報６１２は、撮像情報６１０の内容から生体基準情報６１１に基づき、皮膚や毛髪の状態、性質の評価した結果の情報である。即ち、肌や毛髪等の生理特性の各パラメータについて、生体基準情報６１１を基準に評価した結果の情報である。
【０１２１】
例えば、肌の色に関して、「白〜黒の５段階評価（白側が１、黒側が５）」や、肌の水分量に関して、「多い、普通、少ないとした３段階評価」の結果の情報等である。その他、肌であれば、肌のくすみ、肌のきめ、しみ、しわ、そばかす、水分量（弾力含む）、油分量（皮脂量含む）、乾燥、毛穴等が生理特性のパラメータとなる。また、毛髪であれば、毛髪の色、毛の太さ、毛量、毛の疎密、毛髪の表面の荒れ、頭皮の荒れ、水分量、油分量等が生理特性のパラメータとなる。
【０１２２】
また、適合光基準情報６１３とは、生体評価情報６１２の内容について、各生理特性の維持、向上又は改善のために、対象となる皮膚や毛髪に照射することが好ましい光の情報である。即ち、生体評価情報６１２の個々の情報ごとに、照射することで、皮膚や毛髪の性質を良好にする、又は、良好な状態を維持できる光の情報である。
【０１２３】
例えば、適合光基準情報６１３では、肌の水分量に関する生体評価情報６１２が「少ない」との内容に対して、保湿性の向上や、肌のハリや弾力を高める効果のある「赤色光」が、照射すると好ましい光として設定される。また、光の情報については、光の色だけでなく、波長の数値、照射強度、照射時間、パルス照射についても詳細な設定が可能である。更には、単色の光だけでなく、複数の色の組み合わせや、色の切り替え等も設定可能に構成することができる。
【０１２４】
また、適合光抽出情報６１４は、生体評価情報６１２及び適合光基準情報６１３に基づき、ケース体３のＬＥＤ光照射部４（ＬＥＤ光照射部４ａ等も含む）が、使用者の皮膚や毛髪等に照射する光の情報である。即ち、撮像した領域に照射することが好ましい光（抽出結果）の情報であり、スマートフォン端末２側に送信される情報である。
【０１２５】
適合光抽出情報６１４を受信したスマートフォン端末２が、適合光抽出情報６１４の内容に合わせて、ＬＥＤ光照射部４の光を制御可能に構成されている。
【０１２６】
また、適合光情報処理部６０は、上述した各種の情報処理、抽出、情報の送受信を行う情報処理部である。
【０１２７】
より具体的には、適合光情報処理部６０は、生体基準情報６１１に基づき、撮像情報６１０の内容から生体評価情報６１２を抽出する機能を有する。この生体評価情報６１２の抽出は、既知の画像認識技術又は画像解析技術を用いて行うことができる。例えば、撮像情報６１０からＲＧＢ値及びこれを基に変換した色相、彩度、明度の値を求め、生体基準情報６１１として設定した基準情報と照合して、生体評価情報６１２を抽出する。なお、生体基準情報６１１の内容は、適宜設定変更することが可能である。
【０１２８】
また、適合光情報処理部６０は、適合光基準情報６１３に基づき、生体評価情報６１２の内容から適合光抽出情報６１４を抽出する機能を有する。この適合光抽出情報６１４の抽出は、生体評価情報６１２における個別の種類や数値等の情報と、適合光基準情報６１３として設定した基準情報と照合して、適合光抽出情報６１４を抽出する。なお、適合光基準情報６１３の内容は、適宜設定変更することが可能である。
【０１２９】
また、情報記録部６１は、個別の撮像情報６１０と、この撮像情報６１０を元に抽出された生体評価情報６１２及び適合光抽出情報６１４を紐付けて記録する構成とすることもできる。更に、情報記録部６１は、特定の適合光抽出情報６１４の光を照射した後の、使用者の同じ部位の撮像情報６１０を記録する構成とすることもできる。
【０１３０】
このような構成とすれば、特定の適合光抽出情報６１４の光を照射したことによる美容作用等の効果を検証しやすくなる。また、特定の適合光抽出情報６１４の光を照射した後の結果の情報に基づき、更に、適合光情報処理部６０が、適合光基準情報６１３の基準を修正する機能が付与できる。例えば、皮膚の水分量に改善（生体評価情報６１２において、「少ない」から「通常」に変わる）が見られれば、照射する光の強度を弱めたり、照射時間を短くする、水分量の改善以外の美容作用（例えば、肌のくすみの改善にシフトする）が得られる光へと光の種類を変更する等、適合光基準情報６１３の内容を自動で修正することも可能となる。
【０１３１】
ここで、必ずしも、サーバ６に適合光情報処理部６０及び情報記録部６１が設けられる必要はない。即ち、サーバ６に、カメラ２１が撮像した撮像情報から、撮像した領域に照射することが好ましい光を抽出する機能を持たせる必要はない。例えば、スマートフォン端末２に、適合光情報処理部６０及び情報記録部６１を設けて、スマートフォン端末２の情報処理機能を介して、カメラ２１が撮像した撮像情報から、撮像した領域に照射することが好ましい光を抽出する構成とすることもできる。更に、ケース体３（ＬＥＤ光照射部４）に、適合光情報処理部６０及び情報記録部６１を設ける構成も採用しうる。（＊測定センサーに持たせることもあとで言及）このような構成であれば、サーバ６を介在せずに、撮像した領域に照射することが好ましい光を抽出することができ、インターネット５との接続可能な環境下になくとも、同一の機能を利用することができる。
【０１３２】
また、必ずしも、適合光抽出情報６１４を受信したスマートフォン端末２が、適合光抽出情報６１４の内容に合わせて、ＬＥＤ光照射部４の光を制御可能に構成される必要はない。例えば、ケース体３（ＬＥＤ光照射部４含む）を、サーバ６との間で情報の送受信が可能な構成とすれば、ケース体３で適合光抽出情報６１４を受信して、ＬＥＤ光照射部４が照射する光の制御を行うこともできる。
【０１３３】
また、カメラ２１で取得した撮像情報６１０に基づき、ＬＥＤ光照射部４が照射する光の制御を行う構成については、既存のアプリケーションソフトウェアをスマートフォン端末２にインストールして、アプリケーションソフトウェアの機能を活用することもできる。既知のアプリケーションソフトウェアには、カメラ２１で取得した撮像情報６１０に基づき、撮像情報６１０を解析して、皮膚の水分量、油分量、肌のしわ、くすみ、肌年齢の診断等の情報が得られるものが存在する。本発明では、このような既存のアプリケーションソフトウェアの機能を用いて、上述した生体評価情報６１２や適合光抽出情報６１４を抽出する構成とすることもできる。
【０１３４】
続いて、生体情報取得センサー７を利用して、皮膚や毛髪等の状態や性質を反映した生体情報を取得し、ＬＥＤ光照射部４が照射する光の制御を行う構成について説明する。
本構成では、生体情報を取得して、ＬＥＤ光照射部４の光の照射を制御する基本的な構成は、上述したカメラ２１を用いる技術と共通している。
【０１３５】
光照射装置１では、皮膚や毛髪等の状態や性質を反映した生体情報を取得する手段として、生体情報取得センサー７を利用する構造も採用しうる（図３参照）。生体情報取得センサー７は、使用者の皮膚や毛髪に対して、接触又は非接触で生理特性を測定する装置である。
【０１３６】
生体情報取得センサー７は、例えば、皮膚であれば、皮膚水分測定装置（皮膚の水分、水分分布の測定）、皮膚力学測定装置（皮膚の粘弾性の測定）、油分・水分・ｐＨ測定装置（皮膚の水分、油分、ｐＨの測定）、メラニン・紅斑測定装置（皮膚のメラニン、紅斑の濃さの測定）、皮膚表面光沢測定装置（皮膚の光沢度の測定）等が採用しうる。
【０１３７】
また、生体情報取得センサー７は、例えば、毛髪であれば、頭皮油分測定装置（頭皮の油分を測定）、毛髪温度計（毛髪の温度を測定）、頭皮押下型硬度計（頭皮の硬度を測定）、角層水分測定装置（頭皮の水分の測定）、毛髪表面光沢測定装置（皮膚の光沢度の測定）等が採用しうる。
【０１３８】
また、生体情報取得センサー７が測定した各種の生体情報は、上述したカメラ２１の撮像情報６１０と同様に用いることができる。即ち、測定した生体情報を、上述した生体評価情報６１２に相当する情報として処理が可能となる。また、適合光基準情報６１３は、生体情報取得センサー７が測定可能な、肌や毛髪等の生理特性の各パラメータに合わせて設定される。
【０１３９】
こうすることで、生体情報取得センサー７が測定した各種の生体情報（生体評価情報６１２）の内容から、適合光情報処理部６０が、適合光基準情報６１３に基づき、適合光抽出情報６１４を抽出する。そして、適合光抽出情報６１４を元に、ＬＥＤ光照射部４が照射する光が制御できる。
【０１４０】
また、生体情報取得センサー７は、スマートフォン端末２、又は、サーバ６との間で、情報を送受信可能に構成されている。また、生体情報取得センサー７は、有線又は無線の両方でスマートフォン端末２に接続可能である。
【０１４１】
即ち、生体情報取得センサー７が測定した生体情報を、スマートフォン端末２、又は、サーバ６の送信できる。また、スマートフォン端末２やサーバ６側から、情報を受信可能に構成することもできる。
【０１４２】
生体情報取得センサー７が情報を受信可能に構成することで、生体情報取得センサー７に情報処理機能を持たせ、スマートフォン端末２、又は、サーバ６の代わりに、生体情報取得センサー７が、生体情報から、使用者の皮膚や毛髪に照射することが好ましい光を抽出する構成とすることもできる。
【０１４３】
ここで、必ずしも、光照射装置１が、カメラ２１の撮像情報６１０を利用したり、生体情報取得センサー７が測定した生体情報を利用したりする必要はなく、単にＬＥＤ光照射部４から使用者の皮膚や毛髪に光を照射する構造であってもよい。このような構造でも、スマートフォン端末２の使用中や、外出先等で、手軽に、光の照射による美容処理を施すことができる。但し、撮像情報６１０や測定した生体情報を用いることで、個々の使用者の肌や毛髪等の状態に合わせて、より適切な条件で光を照射することができ、美容作用等の効果をより一層高めることができる。
【０１４４】
また、光照射装置１では、カメラ２１の撮像情報６１０を利用する構成と、生体情報取得センサー７が測定した生体情報を利用する構成を、個別に設けることができる。また、２つの構成の両方を有する光照射装置とすることもできる。
【０１４５】
［第２の実施の形態］
図４乃び図５を参照しながら、本発明の第２の実施の形態である光照射装置について説明する。
【０１４６】
図４（ａ）に示すように、本発明を適用した光照射装置１ａは、スマートフォン端末２と、枕デバイス８を備えている。
【０１４７】
なお、スマートフォン端末２は、上述した第１の実施の形態の光照射装置１を構成する部材であり、ケース体３やＬＥＤ光照射部４を有するものである。即ち、スマートフォン端末２のみでも、光照射装置１として機能する。
【０１４８】
図４（ａ）に示すように、枕デバイス８には、使用者の頭部が載置される面の３か所に、ＬＥＤ光照射部９が設けられている。ＬＥＤ光照射部９は、使用者の皮膚や毛髪等に、所定の波長の光を照射する部材である。
【０１４９】
このＬＥＤ光照射部９は、各種の波長の光を照射する複数のＬＥＤ光源９０が基板９００に配設された薄板状の部材である。また、ＬＥＤ光照射部９の機能は、上述したＬＥＤ光照射部４と機能が共通している。
【０１５０】
即ち、ＬＥＤ光照射部９は、スマートフォン端末２を介して、操作可能に構成されている。また、ＬＥＤ光照射部９は、ＬＥＤ光照射部４と同様に、スマートフォン端末２より電力が供給可能である。なお、ＬＥＤ光照射部９は、スマートフォン端末２との間で、有線、又は、無線で接続され、情報の送受信が可能となっている。
【０１５１】
更に、ＬＥＤ光照射部９は、サーバ６との間で、情報の送受信が可能に構成されてもよい。また、ＬＥＤ光照射部９の表面には、カラーストーン配合層３３０を有する保護シート３３を設けることもできる。
【０１５２】
図４（ｂ）に示すように、枕デバイス８にＬＥＤ光照射部９を設けることで、スマートフォン端末２のＬＥＤ光照射部４だけでなく、ＬＥＤ光照射部９からも、使用者の頭皮、毛髪、首等に、美容作用等を得られる光を照射することができる。
【０１５３】
枕デバイス８を用いることで、使用者が横になった状態や、睡眠前、睡眠中、起床時等に、効率良く、光を照射することができる。
【０１５４】
また、図５に示すように、スマートフォン端末２を支持可能なスタンド２２で支持する構造とすれば、スマートフォン端末２のＬＥＤ光照射部４及びＬＥＤ光照射部４ａと、枕デバイス８にＬＥＤ光照射部９の両方から、使用者の皮膚や毛髪等に光を照射可能となり、より一層、美容作用等の効果を高めることができる。なお、図５では、例として、上述したケース体３ａを開いた状態を示している。
【０１５５】
ここで、ＬＥＤ光照射部９の大きさや形状については特に限定されるものではないが、枕デバイス８に使用者の頭部を載置した際の使用感を考慮して、ＬＥＤ光照射部９はなるべく薄めに形成されることが好ましい。また、枕デバイス８に設けられるＬＥＤ光照射部９の数も３か所に限定されるものではなく、例えば、２か所以下や、４か所以上設ける構成も採用しうる。
【０１５６】
また、使用者が横になって使用可能な光照射装置として、図６に示すような光照射装置１ｂも採用しうる。図６では、スマートフォン端末２を介して操作可能な枕型デバイス８及びブリッジ型デバイス８ａを示している。
【０１５７】
この光照射装置１ｂは、上述した枕型デバイス８の上面に、ブリッジ型デバイス８ａを取り付けて、それぞれのＬＥＤ光照射部９、９ａから使用者の皮膚や毛髪に光が照射可能に構成されている。
【０１５８】
このブリッジ型デバイス８ａには、これを構成する本体の内周面に、ＬＥＤ光照射部９ａが設けられている。ＬＥＤ光照射部９ａは、各種の波長の光を照射する複数のＬＥＤ光源９０ａが基板９００ａに配設された部材である。また、ＬＥＤ光照射部９ａの機能は、上述したＬＥＤ光照射部９と同一である。
【０１５９】
図６に示すように、ブリッジ型デバイス８ａのＬＥＤ光照射部９ａから使用者の頭部や、顔の前面側の皮膚に、美容作用等を得られる光を照射することができる。また、枕型デバイス８からも光が照射されるため、より効率良く、使用者の皮膚や毛髪に光を照射することができる。
【０１６０】
更に、枕型デバイス８を有する光照射装置の他のバリエーションとして、図１２に示すような光照射装置１ｇも考えられる。光照射装置１ｇは、上述した枕型デバイス８の上面に、アーム型デバイス８ｂが設けられている。
【０１６１】
アーム型デバイス８ｂは、折り畳み可能な形状に形成され、折り畳まれた状態（図１２中の符号８ｂで示す点線部分）では、枕型デバイス８の上面に平たく配置される。また、使用時には、上方に向かって立ち上げた形状となり、その内周面に設けられたＬＥＤ光照射部９ｂにおける基板９００ｂに配設された複数のＬＥＤ光源９０ｂから光が照射される。
【０１６２】
このように、枕型デバイス８にアーム型デバイス８ｂと設けることで、使用者の顔や毛髪における光を照射可能な範囲が増え、照射位置の自由度も高めることができる。また、未使用時には、アーム型デバイス８ｂを折り畳んで、コンパクトな形にすることができる。
【０１６３】
［種々の関連機能］
このような枕デバイス８やブリッジ型デバイス８ａについては、スマートフォン端末２のタイマー機能と組み合わせて光の照射を制御する構成とすることで、使用者の睡眠前後、睡眠中における光の照射において、より効果的な使用が可能となる。
【０１６４】
通常、スマートフォン端末２は、時計機能、アラーム機能、ストップウォッチ機能、スヌーズ機能等の時間に関する機能が備えられている。
【０１６５】
ここで、スマートフォン端末２のＬＥＤ光照射部４や、枕デバイス８のＬＥＤ光照射部９（またはブリッジ型デバイス８ａのＬＥＤ光照射部９ａ）で、赤色光を選択する。そして、例えば、３０分後に赤色光が完全に消えるように、徐々に光が弱まる設定をする。
【０１６６】
このような方法で赤色光を、使用者の皮膚や毛髪に照射すれば、睡眠前に、皮膚細胞中のホルモンを活性化させ、コラーゲンやエラスチンの産生を促して、美容作用を施すことができる。また、徐々に赤色光が弱まるように設定してあるため、使用者を睡眠へと導く効果も得られる。また、毛髪に対して、髪表面の改善、脱毛予防、育毛、白髪抑制等の効果を与えることもできる。
【０１６７】
また、スマートフォン端末２のアラーム機能に連動させて、設定した起床時間（またはその前後）に、ＬＥＤ光照射部４及びＬＥＤ光照射部９から、赤色光や白色光の照射が開始されるように設定する。これにより、スマートフォン端末２のアラームの音やバイブレーションン機能に加えて、光の照射により、美容作用等を付与しながら、目覚めを促すことができる。
【０１６８】
また、ここで、光照射装置に、アロマミストを噴霧する機能を持たせたり、マイナスイオン水素水を噴霧する機能を持たせたりすることで、音、振動、光の照射に加えて、香りや水分の感触で、美容作用と心地よい目覚めを提供可能となる。即ち、聴覚、視覚、嗅覚、触覚といった、人の五感に働きかけて、目覚めを促すことができる。
【０１６９】
また、上述したアロマミストやマイナスイオン水素水は、起床時だけでなく、使用者が起きている通常の使用場面でも、併用することができる。
【０１７０】
特に、マイナスイオン水素水は、光触媒に反応して、その効果効能がより一層優れたものになる性質（光触媒の作用により水がよりマイナスイオン化されて、皮膚や毛髪等に吸収されやすくなる）を有している。そのため、ＬＥＤ光照射部による光の照射（光触媒）と組み合わせることで、マイナスイオン水素水自体の作用を高めることができる。
【０１７１】
即ち、光の照射と、マイナスイオン水素水の発生により、健やかな頭皮環境をつくり、髪表面のケラチンの育成や修復を促し、育毛や白髪抑制に働き、毛髪に対して、効果的な光トリートメントを施すことが可能となる。
【０１７２】
また、本発明を適用した光照射装置では、スマートフォン端末２とケース体、又は、スマートフォン端末２と組み合わせた各デバイス（本願明細書で開示するデバイスを含む）において、上述したマイナスイオン水素水の噴霧機能を設けることができる。
【０１７３】
更に、噴霧する対象物としては、マイナスイオン水素水やアロマミスト以外にも、例えば、化粧水、毛髪に噴霧する液状のヘアートリートメント、肌用の液状トリートメント等、肌や毛髪に対して美容作用を与える液状体を採用することができる。これにより、スマートフォン端末２の使用中や、ＬＥＤ光を用いる各デバイスの使用中に、使用者の肌や毛髪に対して、より効果的な美容作用を施すことができる。
【０１７４】
また、上述した光照射装置１ａ及び光照射装置１ｂでは、本発明の第１の実施の形態の光照射装置１（スマートフォン２）と組み合わせた装置となっているが、必ずしも、スマートフォン２が、ケース体３やＬＥＤ光照射部４を有する必要はない。つまり、ＬＥＤ光照射部４を持たないスマートフォン端末を介して、枕デバイス８やブリッジ型デバイス８ａを操作する光照射装置としてもよい。
【０１７５】
また、ＬＥＤ光照射部４を持たないスマートフォン端末で、枕デバイス８やブリッジ型デバイス８ａを操作する光照射装置についても、上述したカメラ２１の撮像情報６１０や生体情報取得センサー７で測定した生体情報に基づき、ＬＥＤ光照射部９やＬＥＤ光照射部９ａの光が制御される構成とすることができる。
【０１７６】
なお、この際には、適合光情報処理部６０及び情報記録部６１の機能は、サーバ６やスマートフォン端末に持たせてもよいし、枕デバイス８やブリッジ型デバイス８ａに持たせてもよい。
【０１７７】
［その他の実施の形態］
図面を参照しながら、本発明のその他の実施の形態である光照射装置について説明する。
【０１７８】
図７に示すように、本発明を適用した光照射装置１ｃは、スマートフォン端末２と、円筒形デバイス１００を備えている。なお、スマートフォン端末２は、上述した第１の実施の形態の光照射装置１を構成する部材であり、ケース体３やＬＥＤ光照射部４を有するものである。
【０１７９】
図７に示すように、円筒形デバイス１００は、ドアが付いており、内部空間に使用者が入れる大きさに形成されている。また、円筒形デバイス１００の内周面には、ＬＥＤ光照射部１０１が形成されている。また、円筒形デバイス１００の天井面にもＬＥＤ光照射部１０３が取付けられている。ＬＥＤ光照射部１０１及びＬＥＤ光照射部１０３は、使用者の全身に、所定の波長の光を照射する部材である。即ち、使用者が円筒形デバイス１００の中に入り、ドアを閉めて、内部空間で光を浴びることができる。
【０１８０】
また、円筒形デバイス１００は床面側にもＬＥＤ光照射部１０１が形成されているため、使用者の足に光を照射して、足の皮膚や水虫の治療効果に効率よく作用する装置となっている。更には、光の照射により、足の裏の皮膚の角質を柔らかくしたり、皮膚のトリートメントや臭いの抑制に作用させたりすることができる。
【０１８１】
このＬＥＤ光照射部１０１及びＬＥＤ光照射部１０３は、各種の波長の光を照射する複数のＬＥＤ光源１０２が設けられた部材である。また、ＬＥＤ光照射部１０１及びＬＥＤ光照射部１０３の機能は、上述したＬＥＤ光照射部４と機能が共通している。
【０１８２】
即ち、ＬＥＤ光照射部１０１及びＬＥＤ光照射部１０３は、スマートフォン端末２を介して、操作可能に構成されている。なお、ＬＥＤ光照射部１０１及びＬＥＤ光照射部１０３は、スマートフォン端末２との間で、有線、又は、無線で接続され、情報の送受信が可能となっている。
【０１８３】
更に、ＬＥＤ光照射部１０１及びＬＥＤ光照射部１０３は、サーバ６との間で、情報の送受信が可能に構成されてもよい。
【０１８４】
また、円筒形デバイス１００は、床面にシェイプアップ用の振動付与装置１０５が設けられている。この振動付与装置１０５は、この装置の上に乗った使用者に、複数の段階から選択可能な振動を与えるバイブレーション機能を有しており、使用者の脂肪の燃焼を促し、痩身効果得られるものである。また、振動を付与する際に、例えば、赤色の光と組み合わせることで、皮膚等への美容作用だけでなく、脂肪の燃焼促進や、痩身効果の高めることができる。
【０１８５】
また、振動付与装置からの振動の付与や、ＬＥＤ光照射部からの光照射において、Ｉｏｔ（Internet of Things）やＡＩ（artificial intelligence）を導入して機能させることができる。
【０１８６】
Ｉｏｔとは、さまざまなモノがインターネットとつながって情報のやり取りをすることで相互に制御し合う仕組みのことであるが、本発明では、ＬＥＤ光照射部や振動付与装置にBluetoothを搭載して、スマートフォン端末におけるアプリケーションソフトウェアと連動させることで、振動付与装置でのフィットネス部位の可視化や、使用者の肌や毛髪等における光の照射中、又は、光の照射前後の状態を、端末画面上で可視化することができる。また、フィットネスや光の照射に応じて、アプリケーションソフトウェアを介して、フィットネス前後や、光の照射前後に、医師や専門家等のアドバイアスを受信する構成とすることができる。
【０１８７】
更に、本発明の光照射装置では、Ｉｏｔ機能に加え、振動付与装置や光照射装置にＡＩ機能（人工知能）を持たせることで、より一層、機能の充実化を図ることができる。ここで、Ｉｏｔ機能やＡＩ機能とは、円筒形デバイス１００に限定されるものではなく、本願明細書で開示した光照射装置の全般と、本発明を適用した光照射装置を適用可能な装置において、共通して付与可能な機能である。
【０１８８】
まず、Ｉｏｔ機能及びＡＩ機能の利用として、上述した撮像情報６１０や生体情報取得センサー７で測定した生体情報を用いた光の照射への反映が考慮される。本発明の光照射装置では、撮像情報６１０や測定した生体情報に基づき、使用者の肌や毛髪、生体の状態に合わせて、光の照射を行うが、この光の照射の選択の際にＩｏｔ機能及びＡＩ機能を用いる。
【０１８９】
例えば、使用者個人から得られた撮像情報６１０や生体情報と、肌や毛髪の性質を記録したビックデータ上の生体情報とを比較して、使用者の肌や毛髪、生体の状態を診断する機能を持たせることができる。更に診断した結果に応じて、対象となる使用者に照射することが好ましい光（光の色、強度、照射時間、照射範囲等）を選択して、光の照射を行うこともできる。また、診断結果の情報を、アプリケーションソフトウェアを介して、端末画面に表示することもできる。
【０１９０】
また、Ｉｏｔ機能及びＡＩ機能により、個人ごとの撮像情報６１０や生体情報の結果を蓄積して、肌や毛髪等の各部位の変化の状態を捉え、その変化の状態に基づき、肌等の診断を行ったり、照射する光を選択したりする機能を持たせることもできる。これにより、個人ごとにあった適切な光照射を行うことができる。
【０１９１】
また、こうしたＩｏｔ機能及びＡＩ機能の活用は、ＬＥＤ光の照射だけでなく、カラーストーンに由来する光の照射（カラーセラピーの診断）や、マイナスイオン水素水、化粧水、液状のヘアートリートメント等の噴霧についても反映させることが可能である。個人ごとの撮像情報６１０や測定した生体情報の結果に基づき、Ｉｏｔ機能及びＡＩ機能により、カラーストーン光の選択や、マイナスイオン水素水等の噴霧の有無、噴霧条件の選択等を行うことができる。なお、こうしたＩｏｔ機能及びＡＩ機能は、スマートフォン端末２自体が備える構成のほか、サーバ６がＩｏｔ機能及びＡＩ機能を有していたり、各デバイス自体がＩｏｔ機能及びＡＩ機能を有する構成であってもよい。
【０１９２】
また、本発明を適用した光照射装置では、Ｉｏｔ機能及びＡＩ機能を作動させる際に、スマートフォン端末の所持者が有するデータ通信量を使用して、Ｉｏｔ機能及びＡＩ機能を作動させる仕組みとすることができる。これにより、使用者が、光照射装置を使用した実績がデータ通信量を介して把握可能となり、使用に関する料金設定等の参考情報とすることができる。
【０１９３】
また、図８（ａ）に示すように、本発明を適用した光照射装置１ｄは、スマートフォン端末２と、ベッド型デバイス２００を備えている。なお、スマートフォン端末２は、上述した第１の実施の形態の光照射装置１を構成する部材であり、ケース体３やＬＥＤ光照射部４を有するものである。
【０１９４】
図８（ａ）に示すように、ベッド型デバイス２００は、使用者が寝ることが可能なベッド体と、このベッド体に連設された側壁部と天面を有している。また、ベッド型デバイス２００の内周面には、ＬＥＤ光照射部２０１が形成されている。ＬＥＤ光照射部２０１は、横たわった使用者の全身に、所定の波長の光を照射する部材である。即ち、使用者がベッド型デバイス２００のベッド体の上に寝て、光を浴びることができる。
【０１９５】
このＬＥＤ光照射部２０１は、各種の波長の光を照射する複数のＬＥＤ光源１０２が設けられた部材である。また、ＬＥＤ光照射部２０１の機能は、上述したＬＥＤ光照射部４と機能が共通している。
【０１９６】
即ち、ＬＥＤ光照射部２０１は、スマートフォン端末２を介して、操作可能に構成されている。なお、ＬＥＤ光照射部２０１は、スマートフォン端末２との間で、有線、又は、無線で接続され、情報の送受信が可能となっている。
【０１９７】
更に、ＬＥＤ光照射部２０１は、サーバ６との間で、情報の送受信が可能に構成されてもよい。
【０１９８】
また、図８（ｃ）に示すように、本発明を適用した光照射装置１ｅは、スマートフォン端末２と、シャワー型デバイス３００を備えている。なお、スマートフォン端末２は、上述した第１の実施の形態の光照射装置１を構成する部材であり、ケース体３やＬＥＤ光照射部４を有するものである。
【０１９９】
図８（ｃ）に示すように、シャワー型デバイス３００は、装置の下に立つ使用者の上部にくるようにＬＥＤ光照射部３０１が配置され、ＬＥＤ光照射部３０１が支柱３０３により支持されている。ＬＥＤ光照射部３０１は、使用者の頭部側からその全身に、所定の波長の光を照射する部材である。即ち、使用者がシャワー型デバイス３００の下に立って、シャワーを浴びるような形で光を浴びることができる。
【０２００】
このＬＥＤ光照射部３０１は、各種の波長の光を照射する複数のＬＥＤ光源３０２が設けられた部材である。また、ＬＥＤ光照射部３０１の機能は、上述したＬＥＤ光照射部４と機能が共通している。
【０２０１】
即ち、ＬＥＤ光照射部３０１は、スマートフォン端末２を介して、操作可能に構成されている。なお、ＬＥＤ光照射部３０１は、スマートフォン端末２との間で、有線、又は、無線で接続され、情報の送受信が可能となっている。
【０２０２】
更に、ＬＥＤ光照射部３０１は、サーバ６との間で、情報の送受信が可能に構成されてもよい。
【０２０３】
また、図９に示すように、本発明を適用した光照射装置１ｆは、スマートフォン端末２と、天井型デバイス４００を備えている。なお、スマートフォン端末２は、上述した第１の実施の形態の光照射装置１を構成する部材であり、ケース体３やＬＥＤ光照射部４を有するものである。
【０２０４】
図９に示すように、天井型デバイス４００は、室内等の天井面４０３に板状のＬＥＤ光照射部４０１を配置して構成され、その下方に置いたベッド等に寝た使用者の全身に、所定の波長の光を照射する部材である。即ち、使用者がベッドの上に寝て、光を浴びることができる。
【０２０５】
このＬＥＤ光照射部４０１は、各種の波長の光を照射する複数のＬＥＤ光源４０２が設けられた部材である。また、ＬＥＤ光照射部４０１の機能は、上述したＬＥＤ光照射部４と機能が共通している。
【０２０６】
即ち、ＬＥＤ光照射部４０１は、スマートフォン端末２を介して、操作可能に構成されている。なお、ＬＥＤ光照射部４０１は、スマートフォン端末２との間で、有線、又は、無線で接続され、情報の送受信が可能となっている。
【０２０７】
更に、ＬＥＤ光照射部４０１は、サーバ６との間で、情報の送受信が可能に構成されてもよい。
【０２０８】
以上で説明した光照射装置１ｃ、光照射装置１ｄ、光照射装置１ｅ及び光照射装置１ｆは、使用者の全身に光を照射可能な大型の装置である。また、これらの装置では、赤色光を利用することで、使用者が被服を身に着けたままでも、皮膚に対する美容作用等を得ることができる。
【０２０９】
また、各光照射装置の設置場所は、使用者の家に限定されず、例えば、店舗等の商業施設、駅、空港、公共施設、スポーツジム、会社等、様々な場所に設置することができる。これにより、各場所での待ち時間等を有効的に活用しつつ、光照射装置による美容作用等を得ることができる。
【０２１０】
また、各光照射装置は、使用者の有するスマートフォン端末２を介して、装置を操作することができるため、使用者は、容易かつ効率良く、装置を使用することができる。
【０２１１】
以上のように、本発明の光照射装置は、使い勝手が良く、対象者の肌や毛髪等への優れた美容効果が得られるものとなっている。
【０２１２】
本明細書、及び特許請求の範囲で使用している用語と表現は、あくまでも説明上のものであって、なんら限定的なものではなく、本明細書、及び特許請求の範囲に記述された特徴およびその一部と等価の用語や表現を除外する意図はない。また、本発明の技術思想の範囲内で、種々の変形態様が可能であるということは言うまでもない。
【符号の説明】
【０２１３】
１      光照射装置
２      スマートフォン端末
２０    端末本体
２１    カメラ
３      ケース体
３０    背面側カバー部
３１    蓋部
３１０  連設蓋部
３２    接合部
３３    保護シート
３３０  カラーストーン配合層
３３１  保護フィルム層
４      ＬＥＤ光照射部
４０    ＬＥＤ光源
４００  基板
５      インターネット
６      サーバ
６０    適合光情報処理部
６１    情報記録部
６１０  撮像情報
６１１  生体基準情報
６１２  生体評価情報
６１３  適合光基準情報
６１４  適合光抽出情報
７      生体情報取得センサー
８      枕デバイス
９      ＬＥＤ光照射部
９０    ＬＥＤ光源
９００  基板
【図１】
2020054499.tif 000003
【図２】
2020054499.tif 000004
【図３】
2020054499.tif 000005
【図４】
2020054499.tif 000006
【図５】
2020054499.tif 000007
【図６】
2020054499.tif 000008
【図７】
2020054499.tif 000009
【図８】
2020054499.tif 000010
【図９】
2020054499.tif 000011
【図１０】
2020054499.tif 000012
【図１１】
2020054499.tif 000013
【図１２】
2020054499.tif 000014